【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  暗号解読モジュール（２０）を含んだ、データ記憶用の光ディスク（１０）であって、前記モジュール（２０）は、
・少なくとも一つのシークレットキー（Ｋ１）を含んでいるメモリ（２２）と、
・前記キー（Ｋ１）を用いて前記ディスク（１０）のデータ（ＤＡＴＡ）を解読するクリプトプロセッサ（２１）と、
・前記ディスク（１０）のデータ（ＤＡＴＡ）をクリプトプロセッサ（２１）に適用し、かつ、クリプトプロセッサ（２１）から解読したデータを読み取るためのデータ交換手段（ＩＮ＿Ａ、ＯＵＴ＿Ａ、ＶＣＣ＿Ａ、ＧＲＤ＿Ａ）と、
を含むものである、光ディスク。
【請求項２】  前記暗号解読モジュール（２０）は、集積回路を備えたチップであることを特徴とする請求項１に記載の光ディスク。
【請求項３】  前記暗号解読モジュール（２０）は、前記ディスク（１０）の中央ゾーンに一体的に組み込まれていることを特徴とする請求項１に記載の光ディスク。
【請求項４】  前記データ交換手段（ＩＮ＿Ａ、ＯＵＴ＿Ａ、ＶＣＣ＿Ａ、ＧＲＤ＿Ａ）が、前記ディスク（１０）の中央ゾーンに組み込まれていることを特徴とする請求項１に記載の光ディスク。
【請求項５】  前記ディスクの平衡を保つための釣合手段（Ｅ）を備えていることを特徴とする請求項１に記載の光ディスク。
【請求項６】  前記データ交換手段は、接点を備えたものである、請求項１に記載の光ディスク。
【請求項７】  前記データ交換手段は、エネルギーフィールドを転送する手段を備えたものである、請求項１に記載の光ディスク。
【請求項８】  暗号解読モジュール（２０）を含んだ、データ記憶用の光ディスク（１０）を読み取るための方法であって、前記モジュール（２０）は、
・少なくとも一つのキー（Ｋ１）を含んでいるメモリ（２２）と、
・クリプトプロセッサ（２１）と、
・データ交換手段（ＩＮ＿Ａ、ＯＵＴ＿Ａ、ＶＣＣ＿Ａ、ＧＲＤ＿Ａ）と、
を含むものであり、前記方法は、
・前記ディスク（１０）のデータ（ＤＡＴＡ）を前記データ交換手段（ＩＮ＿Ａ、ＯＵＴ＿Ａ、ＶＣＣ＿Ａ、ＧＲＤ＿Ａ）を通してクリプトプロセッサ（２１）に適用する適用段階と、
・クリプトプロセッサ（２１）が前記キー（Ｋ１）から前記ディスク（１０）のデータ（ＤＡＴＡ）を解読する暗号解読段階と、
・クリプトプロセッサ（２１）の解読されたデータがデータ交換手段（ＩＮ＿Ａ、ＯＵＴ＿Ａ、ＶＣＣ＿Ａ、ＧＲＤ＿Ａ）を通して読み出される抽出段階と、
を含んでいる方法。
【請求項９】  さらに、
・前記解読の段階の前に、光ディスク読取装置に含まれるクリプトプロセッサ・インターフェース（３７）によって、前記データ（ＤＡＴＡ）がクリプトプロセッサが理解できるフォーマットに変更される段階を含んでいることを特徴とする請求項８に記載の方法。
【請求項１０】  さらに、
・前記解読の段階の前に、コンピュータ（４０）に含まれるクリプトプロセッサ・インターフェース（３７）によって、前記データ（ＤＡＴＡ）がクリプトプロセッサが理解できるフォーマットに変更される段階を含んでいることを特徴とする請求項８に記載の方法。
【請求項１１】  前記解読の段階において、前記データ（ＤＡＴＡ）が暗号化されているか否かにかかわらず、システム的に解読されることを特徴とする請求項８に記載の方法。
【請求項１２】  さらに、
・いずれも前記ディスク（１０）で読み取られたデータのセットから得られたセットである未処理データ（Ｂ）のセット及び解読済みデータ（Ｄ）のセットがコンピュータ（４０）にロードされる段階を含んでいることを特徴とする請求項８に記載の方法。
【請求項１３】  前記ロードの動作が交互に行われることを特徴とする請求項１２に記載の方法。
【請求項１４】  未処理データ（Ｂ）のセットは、少なくとも１つの使用不能な暗号化されたデータのゾーン（Ｂｂ）から構成され、解読済みデータ（Ｄ）のセットは、少なくとも１つの使用可能な解読済みデータのゾーン（Ｄａ）から構成されていることを特徴とする請求項１２に記載の方法。
【請求項１５】  前記未処理データ（Ｂ）のセットは、少なくとも１つの使用可能な暗号化されていないデータ（Ｂａ）のゾーンから構成され、前記解読済みデータ（Ｄ）のセットは、少なくとも１つの使用不能な解読済みデータ（Ｄｄ）のゾーンから構成されていることを特徴とする請求項１２に記載の方法。
【請求項１６】  さらに、
・アプリケーションデータを含む有用なデータゾーン内の１つの実行可能コード部分が実行される段階を含むことを特徴とする請求項１４又は１５に記載の方法。
【請求項１７】  さらに、
・前記実行可能なコードに含まれているリンクのセットの助けにより、各種データゾーンが相互接続され、新しいデータがメモリにロードされ、データゾーンが再構成される段階を含んでいることを特徴とする請求項１６に記載の方法。
【請求項１８】  請求項１に記載のデータ記憶用光ディスク（１０）を読み取るよう配置されたディスク読取装置（３０，４０）であって、暗号解読モジュール（２０）でデータを交換するためのインターフェース（３７，３８）を含むことを特徴とする装置。
【請求項１９】  暗号解読モジュール（２０）を含んだ、データ記憶用光ディスク（１０）を保護するための方法であっで、前記モジュール（２０）は、
・メモリ（２２）と、
・クリプトプロセッサ（２１）と、
・データ交換手段（ＩＮ＿Ａ、ＯＵＴ＿Ａ、ＶＣＣ＿Ａ、ＧＲＤ＿Ａ）と、
を含むものであり、前記方法は、
・暗号化されたデータを得るために少なくともと一つのシークレットキー（Ｋ１）からデータが暗号化される暗号化段階と、
・暗号化されたデータが前記光ディスク（１０）に書き込まれる書込段階と、
・一つ又は複数のキーが暗号解読モジュール（２０）のメモリ（２２）にロードされるロード段階と、
を含むことを特徴とする方法。
【手続補正２】
【補正対象書類名】明細書
【補正対象項目名】０００４
【補正方法】変更
【補正の内容】
【０００４】
応答機（transponder）を用いて光ディスクを保護することが可能である。ディスク読取装置はラジオ周波数質問機（radio-frequency interrogator）を備えている。質問機は、質問信号を送信する。この信号への応答として、応答機は応答信号を送信する。この応答信号によって、読取装置は暗号解読アルゴリズムへアクセスすることができる。暗号の解読は読取装置において行われる。番号０８４９７３４として公開されたヨーロッパ特許出願には、この光ディスクの保護が記載されていると思われる。
本発明の目的は、上記技術的問題点を解決して、データ保護光ディスクを提供することであり、前記ディスクに含まれているデータから不正コピーが作られるのを防止できるようにしながら同時に前記ディスクの使用に際して負担を課さないようにする前記ディスクを保護するための方法を提供することである。
【手続補正３】
【補正対象書類名】明細書
【補正対象項目名】０００５
【補正方法】変更
【補正の内容】
【０００５】
（発明の概要）
本発明の第１の目的によれば、上記技術的な問題点に対する１つの解決策は、前記光ディスクが、
・少なくとも一つのシークレットキーを含むメモリと、
・前記キーから前記ディスクのデータを解読するクリプトプロセッサと、
・全ディスクのデータを前記クリプトプロセッサへ適用可能とし、かつ、クリプトプロセッサの解読されたデータを読み取るデータ交換手段と、
を含んだ暗号解読モジュールを含むものである。
【手続補正４】
【補正対象書類名】明細書
【補正対象項目名】０００６
【補正方法】変更
【補正の内容】
【０００６】
本発明によれば、この光ディスクを読み取る方法は、
・前記ディスクのデータがデータ交換手段を通してクリプトプロセッサへ適用される適用段階と、
・クリプトプロセッサが前記キーから全ディスクのデータを解読する暗号解読段階と、
・解読されたデータがクリプトプロセッサからデータ交換手段を通して読み取られる抽出段階と、
を含むという点ですぐれている。
【手続補正５】
【補正対象書類名】明細書
【補正対象項目名】０００７
【補正方法】変更
【補正の内容】
【０００７】
こうして、あとでより詳しく説明するが、本発明の機器は、媒体のデータを暗号化することにより当該データを保護できるようにするものであり、こうして前記データのコード化されていない形態での読み出しを防ぐ。データのコピーは前記データが暗号化されるので使用できなくなる。前記データを読み出すには、データは、データ記憶媒体に一体化された前記オブジェクトに含まれているシークレットキーにより事前に解読されている必要がある。シークレットキーは媒体アイテム毎に固有であるのが望ましい。このようなわけで、コード化されていない形態のデータの読み出しは、前記媒体からしかできなくなる。
（好適な実施例の詳細な説明）
以下、添付図面を参照しながら、本発明が何から構成され、本発明がどのように実施されうるかについて明確に説明するが、本発明は、これらの例に限定されるものではない。